(57)【要約】【課題】組み合わせ式キャビネット上段の扉キャビネットの開閉扉による負傷事故の発生を防止する。【解決手段】複数の引き出し(22a,22b,22c)を備えた多段の引き出しキャビネット(20)とその上に載せ置かれる開閉扉(52)を備えた扉キャビネット(50)とを組み合わせた組み合わせ式キャビネット(10)において、前記引き出しキャビネットには一の引き出しが引き出されると他の引き出しの引き出しを禁止する第一ロック機構(24)が備えられており、前記扉キャビネットには開閉扉の開放を禁止するための第二ロック機構(54)が備えられ、該第二ロック機構は前記第一ロック機構に連結されて、前記引き出しキャビネットの一の引き出しが引き出された状態のときには開閉扉の開放を禁止し、引き出しキャビネットの全ての引き出しが収納された状態のときにのみ開閉扉の開放を許可する。【選択図】図４
2010133164.tif 000002
【特許請求の範囲】
【請求項１】
複数の引き出し（２２ａ，２２ｂ，２２ｃ）を備えた多段の引き出しキャビネット（２０）とその上に載せ置かれる開閉扉（５２）を備えた扉キャビネット（５０）とを組み合わせた組み合わせ式キャビネット（１０）において、
前記引き出しキャビネットには一の引き出しが引き出されると他の引き出しの引き出しを禁止する第一ロック機構（２４）が備えられており、
前記扉キャビネットには開閉扉の開放を禁止するための第二ロック機構（５４）が備えられ、該第二ロック機構は前記第一ロック機構に連結されて、前記引き出しキャビネットの一の引き出しが引き出された状態のときには開閉扉の開放を禁止し、引き出しキャビネットの全ての引き出しが収納された状態のときにのみ開閉扉の開放を許可する、ことを特徴とする組み合わせ式キャビネット。
【請求項２】
複数の引き出し（２２ａ，２２ｂ，２２ｃ）を備えた多段の引き出しキャビネット（２０）とその上に載せ置かれる開閉扉（５２）を備えた扉キャビネット（５０）とを組み合わせた組み合わせ式キャビネット（１０）において、
前記引き出しキャビネットには一の引き出しが引き出されると他の引き出しの引き出しを禁止する第一ロック機構（２４）が各引き出し別に備えられており、
前記扉キャビネットには開閉扉の開放を禁止するための第二ロック機構（５４）が備えられ、該第二ロック機構は前記各第一ロック機構に連結されて、前記引き出しキャビネットの一の引き出しが引き出された状態のときには開閉扉の開放を禁止し、引き出しキャビネットの全ての引き出しが収納された状態のときには開閉扉の開放を許可するものであり、
前記各第一ロック機構は、升型の各引き出しの背面に傾斜して形成されたテーパー面（２６）と、各引き出しの背面に形成された係止部（２８）と、一の引き出しが収納された状態では前記テーパー面との当接によって一端が押し下げ（／押し上げ）られる一方、該一の引き出しが引き出された状態では該一端が開放されて他端が下がり（／上がり）シーソーのごとく回動する回動アーム（３２）と、該回動アームの他端と連結され回動アームの回動に伴い上下動し、かつ、他の引き出し背面の係止部と係合するフック部（３４）が形成された垂直方向に伸長する主ロッド（３６）と、を有し、
一の引き出しが引き出されると一の主ロッドが下方（／上方）に動くことで、他の引き出しの各係止部と回動アームのフック部とが係合して該他の引き出しの引き出しを禁止する、ことを特徴とする組み合わせ式キャビネット。
【請求項３】
前記第二ロック機構（５４）は、前記第一ロック機構（２４）の各主ロッド（３６）に連結された垂直方向に伸長する従ロッド（５６）と、該従ロッドにリンク接続された扉ロックアーム（５８）と、を有し、
前記従ロッドは何れか一の主ロッドの上下動に伴って上下動し、前記扉ロックアームは従ロッドが下方(／上方)に動くことでその先端が前記開閉扉（５２）と係合して開閉扉の開放を禁止する、ことを特徴とする請求項２に記載の組み合わせ式キャビネット。
【請求項４】
前記引き出しキャビネット（２０）の第一ロック機構（２４）と前記扉キャビネット（５０）の第二ロック機構（５４）とは、引き出しキャビネット上に扉キャビネットを載せ置いた後に接続用アダプタ（８２）を用いて連結される、ことを特徴とする請求項１乃至３のいずれかに記載の組み合わせ式キャビネット。 
【請求項５】
１以上の引き出し（２２ａ，２２ｂ，２２ｃ）を備えた引き出しキャビネット（２０）とその上に載せ置かれる開閉扉（５２）を備えた扉キャビネット（５０）とを組み合わせた組み合わせ式キャビネット（１０）において、
前記引き出しキャビネットには前記扉キャビネットの開閉扉が開放されると全ての引き出しの引き出しを禁止する第三ロック機構（８４）が備えられ、
前記扉キャビネットには開閉扉の開閉に連動して前記第三ロック機構を動作させる扉アーム（５８’）が備えられており、
前記引き出しキャビネットの第三ロック機構と前記扉キャビネットの扉アームとは、引き出しキャビネット上に扉キャビネットを載せ置いた後に接続用アダプタ（８２）を用いて連結される、ことを特徴とする請求項１又は２に記載の組み合わせ式キャビネット。
【発明の詳細な説明】
【技術分野】
【０００１】
本発明は書類等を収納するためのキャビネットに係り、より詳しくは、複数の引き出しを備えた引き出しキャビネットとその上に載せ置かれる開閉扉を備えた扉キャビネットとを組み合わせた組み合わせ式キャビネットにおいて、複数の引き出しが同時に引き出されるのを防止するのと同時に、引き出しが引き出された状態では開閉扉が開くことを禁止したキャビネット等に関する。
【背景技術】
【０００２】
現在、複数の引き出しを備えた引き出しキャビネットとその上に載せ置かれる観音開きの開閉扉を備えた扉キャビネットとを組み合わせた組み合わせ式キャビネットが多くのオフィスや店舗などで使用されている。
【０００３】
一般的な組み合わせ式キャビネットは、箱型の独立した引き出しキャビネットと同じく箱型の扉キャビネットとを、普通は引き出しキャビネットを下側にしてその上に扉キャビネットを載せ置き、引き出しキャビネットと扉キャビネットとが分離することのないようにこれらをネジ等を用いて連結するものが多い。また引き出しキャビネットの上に２つ又はそれ以上の扉キャビネットを載せ置く組み合わせ式キャビネットなども存在する。
【０００４】
ここでこのような組み合わせ式キャビネットでは、書類などの重量物が収納された状態で引き出しキャビネットの複数の引き出しが同時に引き出されると、キャビネット全体の重心バランスが不安定となりキャビネットが転倒する危険性があった。そのため、これを回避すべく引き出しキャビネットの一つの引き出しが引き出された状態では他の引き出しの引き出しを禁止するロック機構が備えられることが多かった。
【０００５】
例えば下記特許文献１にはキャビネットの複数の引き出しが同時に引き出されるのを防止するための機構が開示されている。
【特許文献１】特開２０００−３６６７０号公報
【発明の開示】
【発明が解決しようとする課題】
【０００６】
しかしながら従来からある組み合わせ式キャビネットは、引き出しキャビネットの複数の引き出しが同時に引き出せない機構を備えてはいるものの、扉キャビネットはいつでも自由に開閉することができていた。そのため例えば引き出し中の書類を探して屈んだ状態で作業をしていた人が、目的の書類を見つけ出して立ち上がった際に、おもいがけず開いていた扉キャビネットの開閉扉（観音扉）の下端角で頭部を負傷する事故などが発生していた。
また例えば上段の扉キャビネットの開閉扉を開けた作業に続いて開閉扉を開けたまま下段の引き出しキャビネットの引き出し内を探す作業をしているうちに、作業に没頭してしまい、開閉扉を開けていることを忘れてそのまま立ち上がってしまって開閉扉の下端角で頭部を負傷することもあった。
【０００７】
本発明の目的は、上述したような不慮の事故の発生を防止するための機構を備えた組み合わせ式キャビネットを提供することにある。
【課題を解決するための手段】
【０００８】
上記目的を達成するため本発明は、複数の引き出し（２２ａ，２２ｂ，２２ｃ）を備えた多段の引き出しキャビネット（２０）とその上に載せ置かれる開閉扉（５２）を備えた扉キャビネット（５０）とを組み合わせた組み合わせ式キャビネット（１０）において、前記引き出しキャビネットには一の引き出しが引き出されると他の引き出しの引き出しを禁止する第一ロック機構（２４）が備えられており、前記扉キャビネットには開閉扉の開放を禁止するための第二ロック機構（５４）が備えられ、該第二ロック機構は前記第一ロック機構に連結されて、前記引き出しキャビネットの一の引き出しが引き出された状態のときには開閉扉の開放を禁止し、引き出しキャビネットの全ての引き出しが収納された状態のときにのみ開閉扉の開放を許可する、ことを特徴とする組み合わせ式キャビネットを提供する。
【０００９】
ここで、前記各第一ロック機構は、升型の各引き出しの背面に傾斜して形成されたテーパー面（２６）と、各引き出しの背面に形成された係止部（２８）と、一の引き出しが収納された状態では前記テーパー面との当接によって一端が押し下げ（／押し上げ）られる一方、該一の引き出しが引き出された状態では該一端が開放されて他端が下がり（／上がり）シーソーのごとく回動する回動アーム（３２）と、該回動アームの他端と連結され回動アームの回動に伴い上下動し、かつ、他の引き出し背面の係止部と係合するフック部（３４）が形成された垂直方向に伸長する主ロッド（３６）と、を有し、一の引き出しが引き出されると一の主ロッドが下方（／上方）に動くことで、他の引き出しの各係止部と回動アームのフック部とが係合して該他の引き出しの引き出しを禁止する、ものであることが好ましい。
【００１０】
さらに、前記第二ロック機構（５４）は、前記第一ロック機構（２４）の各主ロッド（３６）に連結された垂直方向に伸長する従ロッド（５６）と、該従ロッドにリンク接続された扉ロックアーム（５８）と、を有し、前記従ロッドは何れか一の主ロッドの上下動に伴って上下動し、前記扉ロックアームは従ロッドが下方(／上方)に動くことでその先端が前記開閉扉（５２）と係合して開閉扉の開放を禁止する、ものであることが好ましい。
【００１１】
なお、前記引き出しキャビネット（２０）の第一ロック機構（２４）と前記扉キャビネット（５０）の第二ロック機構（５４）とは、引き出しキャビネット上に扉キャビネットを載せ置いた後に接続用アダプタ（８２）を用いて連結される、ものとする。
【００１２】
また、１以上の引き出し（２２ａ，２２ｂ，２２ｃ）を備えた引き出しキャビネット（２０）とその上に載せ置かれる開閉扉（５２）を備えた扉キャビネット（５０）とを組み合わせた組み合わせ式キャビネット（１０）において、前記引き出しキャビネットには前記扉キャビネットの開閉扉が開放されると全ての引き出しの引き出しを禁止する第三ロック機構（８４）が備えられ、前記扉キャビネットには開閉扉の開閉に連動して前記第三ロック機構を動作させる扉アーム（５８’）が備えられており、前記引き出しキャビネットの第三ロック機構と前記扉キャビネットの扉アームとは、引き出しキャビネット上に扉キャビネットを載せ置いた後に接続用アダプタ（８２）を用いて連結される、ものとすることも好ましい。
【発明の効果】
【００１３】
本発明によれば、引き出しキャビネットと扉キャビネットとを組み合わせた組み合わせ式キャビネットにおいて、第一ロック機構によって引き出しキャビネットの複数の引き出しが同時に引き出せないようにするのと同時に、第一ロック機構に連動する扉キャビネットの第二ロック機構によって引き出しが引き出された状態では扉キャビネットの開閉扉が開放することを禁止することで、引き出しを屈んだ状態で作業をしていた人が不用意に立ち上がった際に、おもいがけず開いていた扉キャビネットの開閉扉に頭部などをぶつける事故などを防ぐことができる。
【００１４】
ここで、引き出しキャビネットの第一ロック機構と扉キャビネットの第二ロック機構を電子錠などを用いて電気的に制御することももちろん可能であるが、本発明では機械的にロック機構を構成することで、製造コストの低減、電源の不要化、メンテナンスの容易化等を実現している。
【００１５】
なお引き出しキャビネットの第一ロック機構と扉キャビネットの第二ロック機構との接続を、引き出しキャビネット上に扉キャビネットを載せ置いた後に接続用アダプタを用いて行うこととすれば、容易に組み合わせ式キャビネットの分解・運搬を行うことができるようになる。
【００１６】
また上段の扉キャビネットの開閉扉を開けると下段の引き出しキャビネットの引き出しを引き出せないようにしてやれば、上記不慮の事故の発生をより確実に防ぐことができるようになる。
【発明を実施するための最良の形態】
【００１７】
図１は本発明の組み合わせ式キャビネットの外観を表した斜視図である。この図からも分かるように、この組み合わせ式キャビネット１０は床面に接する下方側に位置する３段（上中下段）の引き出し２２ａ，２２ｂ，２２ｃを備えた引き出しキャビネット２０と、この引き出しキャビネットの上に載せ置かれる開閉扉５２を備えた扉キャビネット５０から構成されている。なおこの組み合わせ式キャビネット１０は主に金属薄板材を用いて製作されるいわゆるスチール家具である。
引き出しキャビネット２０は幅×奥行き×高さが９０ｃｍ×６０ｃｍ×１２０ｃｍほどの直方体形状で前面が開口する筐体と、それぞれ幅×奥行き×高さが８５ｃｍ×５２ｃｍ×３６ｃｍほどの大きさの３つの引き出し２２ａ，２２ｂ，２２ｃからなり、各引き出しは筐体内側側面に設けられた図示しないレールとローラによりスムーズに引き出し・収納することができるようになっている。
扉キャビネット５０は幅×奥行き×高さが９０ｃｍ×６０ｃｍ×８０ｃｍほどの直方体形状でその前面には観音開き式の開閉扉５２が設けられている。また扉キャビネット５０の内部には内部空間を仕切るように棚が取り付けられている（図示せず）。
なおかかる組み合わせ式キャビネット１０の構造は、以下に説明するロック機構以外の部分については従来からあるキャビネットと特に異なるところはないため、その一般的構造に関する説明は省略する。
【００１８】
この引き出しキャビネット２０には一の引き出し２２ａ／２２ｂ／２２ｃが引き出されると他の引き出し２２ｂ，２２ｃ／２２ａ，２２ｃ／２２ａ，２２ｂの引き出しを禁止する第一ロック機構が備えられている。この第一ロック機構は引き出しキャビネット２０の背面側に各引き出し毎に設けられている。
図２および図３は第一ロック機構のしくみを説明するための概念図であり、図２（ａ）（ｂ）は第一ロック機構およびその動作を説明するための内部透過側面図、図３（ａ）（ｂ）は図２（ａ）（ｂ）に対応した内部透過正面図である。なお図３において第一ロック機構のテーパー面は省略されており、また理解容易のため主ロッド等を側面図的に寝かすように表している。
【００１９】
これらの図に示したように第一ロック機構２４は、升型の各引き出し２２ａ，２２ｂ，２２ｃの背面に傾斜して形成されたテーパー面２６と、各引き出しの背面に形成された係止部２８と、対応する一の引き出し２２ａ／２２ｂ／２２ｃが収納された状態ではテーパー面２６との当接によって一端が押し下げられる一方、一の引き出しが引き出された状態では一端が開放されて他端が下がりシーソーのごとく回動する回動アーム３２と、回動アームの他端と連結され回動アームの回動に伴い上下動し、かつ、他の引き出し２２ｂ，２２ｃ／２２ａ，２２ｃ／２２ａ，２２ｂ背面の係止部２８と係合するフック部３４が形成された垂直方向に伸長する主ロッド３６を有している。
【００２０】
より詳細には各引き出し２２ａ，２２ｂ，２２ｃのテーパー面２６は上辺が引き出し背面から後方に４ｃｍほど水平に突出しそこから下方にいくに従い突出量を漸減するように傾斜している。なおこのテーパー面２６は引き出し２２ａ，２２ｂ，２２ｃの全幅に渡って形成されている。
また係止部２８はこのテーパー面２６の上辺から上側に向けて１ｃｍ程度突起するように形成されている。
【００２１】
各引き出し２２ａ，２２ｂ，２２ｃに対応して引き出しキャビネット２０筐体に備えられる回動アーム３２は、筐体内面の奥側（背面側）に設けられた長さ６ｃｍ程度の棒材であり、その中間部を支点としてその端部が±１．５ｃｍの回動域でシーソーのごとく上下動可能となっている。この回動アーム３２は一端がキャビネット前方側に他端が背面側に伸長している。また回動アーム３２の一端には回転ローラ３３が設けられており、この回転ローラが引き出し背面のテーパー面２６と当接するようになっている。一方回動アーム３２の他端は主ロッド３６に回動自在に連結されている。
【００２２】
各引き出し２２ａ，２２ｂ，２２ｃに対応して引き出しキャビネット２０筐体に備えられる主ロッド３６は、筐体内面の背面に垂直方向に伸長して設けられた長さ１１０ｃｍ程度の棒材である。上段の引き出し２２ａに対応した主ロッド３６には上段の引き出しの出し入れに伴い回動する回動アーム３２が連結され、また中下段の引き出し２２ｂ，２２ｃに対応する位置には前述の引き出し背面に形成された係止部２８と係合することとなる下向きに曲がる鉤状のフック部３４が形成されている。また中段の引き出し２２ｂに対応した主ロッド３６には中段の引き出しの出し入れに伴い回動する回動アーム３２が連結され、また上下段の引き出し２２ａ，２２ｃに対応する位置には前述の引き出し背面に形成された係止部２８と係合することとなる下向きに曲がる鉤状のフック部３４が形成されている。下段の引き出し２２ｃに対応した主ロッド３６についても同様である。
またこれら３本の主ロッド３６の下端には、主ロッドを下側に付勢することとなる第一バネ３７が取り付けられている。
【００２３】
すなわち例えば上段の引き出し２２ａが収納された状態では、これに対応した主ロッド３６に連結された回動アーム３２の一端の回転ローラ３３が、引き出し２２ａ背面のテーパー面２６との当接によって押し下げられ、これによって回動アーム３２の他端が上がり、これに連結された主ロッド３６が上側に押し上げられる。このとき主ロッド３６に取り付けられた第一バネ３７は圧縮された状態となっており、主ロッド３６を下側に付勢している。この状態では中下段の引き出し２２ｂ，２２ｃの係止部２８と主ロッド３６のフック部３４とは係合していない。
一方、上段の引き出し２２ａが引き出されると、回動アーム３２を押し下げていたテーパー面２６がなくなり回動アームが開放されるため、主ロッド３６は取り付けられた第一バネ３７の付勢力によって押し下げられる。主ロッド３６が押し下げられると中下段の引き出し２２ｂ，２２ｃの係止部２８と主ロッド３６のフック部３４とが係合し、中下段の引き出しの引き出しが禁止される。
中段の引き出し２２ｂ，２２ｃについてもこれが収納された状態では、対応する主ロットが押し上げられ上下段の引き出し２２ａ，２２ｃの係止部２８と主ロッド３６のフック部３４とは係合していないが、中段の引き出し２２ｂが引き出されると主ロッド３６が第一バネ３７の付勢力によって押し下げられる。主ロッド３６が押し下げられると上下段の引き出し２２ａ，２２ｃの係止部２８と主ロッド３６のフック部３４とが係合し、上下段の引き出しの引き出しが禁止される。
下段の引き出し２２ｃについてもこれが収納された状態では、対応する主ロットが押し上げられ上中段の引き出し２２ａ，２２ｂの係止部２８と主ロッド３６のフック部３４とは係合していないが、下段の引き出し２２ｃが引き出されると主ロッド３６が第一バネ３７の付勢力によって押し下げられる。主ロッド３６が押し下げられると上中段の引き出し２２ａ，２２ｂの係止部２８と主ロッド３６のフック部３４とが係合し、上中段の引き出しの引き出しが禁止される。
【００２４】
このように３つの第一ロック機構２４が協働することにより、いずれか一の引き出し２２ａ／２２ｂ／２２ｃが引き出された状態では、他の引き出し２２ｂ，２２ｃ／２２ａ，２２ｃ／２２ａ，２２ｂを引き出すことができないようになっている。
なお上記では引き出しを上中下の３段としたがこれに限られず、２段もしくは４段以上とすることができ、その際には第一ロック機構２４は引き出しの段数分だけ設けることとなる。
【００２５】
さらに第一ロック機構２４の各主ロッド３６の上端には次に説明する第二ロック機構５４と連結するための連結材４１を掛け止めるための逆Ｕ字型の掛け止めフック３９が形成されている。連結材４１はいずれか一の主ロッド３６が押し下げられるとそれとともに押し下げられるもので、キャビネット筐体背面で幅方向に伸長する横棒４１ａとその中心から垂直方向に伸長する縦棒４１ｂからなり逆Ｔ字形状をしている。各主ロッド３６の掛け止めフック３９は連結材４１の横棒４１ａに上側から被さるように掛け止められている。これによりいずれか一の主ロッド３６が押し下げられるとそれとともに連結材４１が押し下げられる一方、他の主ロッドは掛け止めフックが連結材の横棒４１ａから離れるため特に外力の影響を受けることはない。
なお連結材４１の縦棒４１ｂは上下動によっても引き出しキャビネット２０筐体の天面から突出しないが、次に説明する第二ロック機構５４と連結可能なように外側からアクセスすることができるようになっている。
【００２６】
図４は第二ロック機構およびその動作を説明するための概念図である。なおこの図において第二ロック機構部分は理解容易のため側面図的に寝かすように表している。
扉キャビネット５０の第二ロック機構５４は、前述の引き出しキャビネット２０の第一ロック機構２４の各主ロッド３６（実際には連結材４１の縦棒４１ｂ）に連結される垂直方向に伸長する従ロッド５６と、従ロッドにリンク接続された扉ロックアーム５８とを有している。
【００２７】
従ロッド５６は扉キャビネット５０筐体内面の背面に垂直方向に伸長して設けられた長さ７０ｃｍ程度の棒材であり、引き出しキャビネット２０上に扉キャビネットを載せ置いたあとに、その下端が第一ロック機構２４の連結材４１の縦棒４１ｂ上端と連結される。またこの従ロッド５６には、従ロッドを上側に付勢することとなる第二バネ６１が取り付けられている。すなわちこの従ロッド５６は連結材４１の縦棒４１ｂの上下動と一緒に上下動することとなる。なお従ロッド５６を連結材４１の縦棒４１ｂと連結するために、扉キャビネット５０筐体底面には貫通孔（図示せず）が形成されている。
【００２８】
扉ロックアーム５８はその一端が従ロッド５６の上端に接続され、他端が開閉扉５２をロックするための係合突起として機能する多関節棒材であり、棒状の４つの部材を、その端部を回動自在に連結接続したものである。
図に示したように従ロッド５６の上端に下端が連結接続される第一部材５８ａはその中間部が支点となって回動自在に扉キャビネット５０筐体背面内側に取り付けられている。この第一部材５８ａは従ロッド５６が下側に引っ張られると、傾斜状態からほぼ垂直状態となるように回動するようになっている。またこの第一部材５８ａの上端は、扉キャビネット５０筐体天面内側で扉キャビネット５０の奥側から扉側に伸長する第二部材５８ｂの後端と連結されている。この第二部材５８ｂは第一部材５８ａの回動に伴ってその軸方向に前後移動するようになっている。さらにこの第二部材５８ｂの前端は、その中間部が支点となって回動自在な第三部材５８ｃの上端と連結接続されている。この第三部材５８ｃは、第二部材５８ｂが前方にスライド移動すると、傾斜状態からほぼ垂直状態となるように回動するようになっている。そして第三部材５８ｃの下端には第三部材５８ｃの回動に伴って開閉扉５２の開閉を禁止・許容（ロック・開放）することとなる第四部材５８ｄが連結接続されている。第三部材５８ｃが傾斜状態からほぼ垂直状態となるように回動すると、第四部材５８ｄの下端が扉キャビネット５０筐体前面の扉枠から突出して、左右の開閉扉５２の上縁部にそれぞれ設けた小孔６５に差し込まれることで、各開閉扉をロックするようになっている。すなわち扉ロックアーム５８はこれに接続された従ロッド５６の上下動を第四部材５８ｄの上下動に伝えて開閉扉５２の開閉を禁止・許容するものである。
【００２９】
このように第一ロック機構２４の各主ロッド３６（正確には連結材４１の縦棒４１ｂ）に連結された第二ロック機構５４は、引き出しキャビネット２０のいずれかの引き出し２２ａ／２２ｂ／２２ｃが引き出されることで第一ロック機構の縦棒４１ｂが引き下げられると、これに伴い従ロッド５６も引き下げられ（このとき第二バネ６１は圧縮される）、第一部材５８ａが垂直状態となるように回動し、第二部材５８ｂがキャビネット前方側にスライド移動し、第三部材５８ｃが垂直状態となるように回動し、第四部材５８ｄが押し下げられてその下端が扉キャビネット５０筐体前面の扉枠から突出し、これが開閉扉５２をロックする機構となっている。なおこの扉キャビネットの開閉扉は右側の扉を開けないと左側の扉を開けられないタイプのものであるため、右側の開閉扉のみロックするようになっている。
【００３０】
ここで引き出しキャビネット２０の各第一ロック機構２４（連結材４１の縦棒４１ｂ）と扉キャビネット５０の第二ロック機構５４（従ロッド５６）とは、引き出しキャビネット上に扉キャビネットを載せ置いた後に接続用アダプタを用いて連結接続される。
【００３１】
図５に接続用アダプタを用いて第一ロック機構（の連結材縦棒４１ｂ）と第二ロック機構（の従ロッド５６）とを連結接続する様子を示した。
この接続用アダプタ８２は、一端に正ネジ穴が他端に逆ネジ穴が掘られた長さ１５ｃｍ程度の長ナットである。この接続用アダプタ８２を用いて連結材４１の縦棒４１ｂと従ロッド５６を連結接続するため、縦棒４１ｂの上端には正ネジが従ロッドの下端には逆ネジが削れられて先端加工されている。
接続用アダプタ８２による縦棒４１ｂと従ロッド５６との連結接続は、引き出しキャビネット２０上に扉キャビネット５０を載せ置いた後に、引き出しキャビネット２０の引き出し２２ａ，２２ｂ，２２ｃを全て収納した状態で扉キャビネット開閉扉５２を開け、扉キャビネット筐体底面奥側の貫通孔から縦棒４１ｂに向けて接続用アダプタ８２を挿し込み１回転ほど正回転させてその一端（下側）の正ネジ穴を軽く螺合させたのち、接続用アダプタの他端（上端）の逆ネジ穴を従ロッド５６にも螺合させて十分ねじ込むことにより行われる。
【００３２】
このように以上に説明した本発明の組み合わせ式キャビネットによれば、引き出しキャビネットの複数の引き出しが同時に引き出せないためキャビネットが転倒する危険性を回避することができるのと同時に、引き出しが引き出された状態では扉キャビネットの開閉扉が開放が禁止されるため、引き出しを屈んだ状態で作業をしていた人が不用意に立ち上がった際に、おもいがけず開いていた扉キャビネットの開閉扉に頭部などをぶつける事故などを防ぐことができる。
なお引き出しキャビネットの第一ロック機構と扉キャビネットの第二ロック機構との連結接続を接続用アダプタを用いて行うため、容易に組み合わせ式キャビネットの分解・運搬を行うことができる。
【００３３】
図６は上記第一ロック機構および第二ロック機構を備えた組み合わせ式キャビネットにさらに追加することが可能な第三ロック機構等を説明するための図である。この第三ロック機構は、上段の扉キャビネットの開閉扉を開けると下段の引き出しキャビネットの引き出しを引き出せないようにすることで、不慮の事故の発生をより確実に防ぐことを目的としたものである。
【００３４】
この発明は、上記と同様に１以上の引き出し（図面では３段の引き出し２２ａ，２２ｂ，２２ｃ）を備えた引き出しキャビネット２０とその上に載せ置かれる開閉扉５２を備えた扉キャビネット５０とを組み合わせた組み合わせ式キャビネット１０に適用されるものであるため、キャビネットの基本構造については図面に同様の符号を付すことで既述の説明と重複する説明は省略する。
【００３５】
この引き出しキャビネット２０には扉キャビネット５０の開閉扉５２が開放されると全ての引き出しの引き出しを禁止する第三ロック機構８４が備えられており、扉キャビネットには開閉扉の開閉に連動して第三ロック機構を動作させる連動アーム９４が備えられている。
なお第三ロック機構８４の上端と連動アーム９４の下端は連結されることとなるが、その連結は上記接続用アダプタ８２を用いて同様の手法により行われる。
【００３６】
引き出しキャビネット２０の第三ロック機構８４は、引き出しの背面に形成された係止部２８（既出）と、係止部と係合することとなるフック部３４’が形成されたメインロッド３６’とを有している。メインロッド３６’は引き出しキャビネット２０筐体内面の背面に垂直方向に伸長して設けられた長さ１１０ｃｍ程度の棒材であり、軸方向下方に移動することで引き出しの背面に形成された係止部２８とそのフック部３４’が係合し、すべての引き出しの引き出し（開操作）を禁止する。
【００３７】
扉キャビネット５０の連動アーム９４は、第三ロック機構８４のメインロッド３６’に連結される垂直方向に伸長するサブロッド５６’と、サブロッドにリンク接続された扉アーム５８’とから構成されている。
【００３８】
サブロッド５６’は扉キャビネット５０筐体内面の背面に垂直方向に伸長して設けられた長さ７０ｃｍ程度の棒材であり、引き出しキャビネット２０上に扉キャビネットを載せ置いたあとに、その下端が第三ロック機構８４の上端と上記接続用アダプタ８２を用いて連結される。なおサブロッド５６’を第三ロック機構８４と連結するために、扉キャビネット５０筐体底面には貫通孔（図示せず）が形成されている。
【００３９】
扉アーム５８’はその一端がサブロッド５６’の上端に接続され、他端が開閉扉５２の閉操作に伴い開閉扉に押圧されて扉キャビネット５０筐体内に収容され、開閉扉の開操作に伴い扉キャビネット筐体前面の開閉扉枠体から前側に１ｃｍ程度突出することとなる単関節棒材であり、棒状の２つの部材をその端部を回動自在に連結接続したものである。
図６に示したようにサブロッド５６’の上端に下端が連結接続される扉アーム５８’の第１部材５８’ａは、その中間部が支点となって回動自在に扉キャビネット５０筐体背面内側に取り付けられている。この第１部材５８’ａは開閉扉５２が開操作されると、傾斜状態からほぼ垂直状態となるように回動することで、サブロッド５６’を押し下げるようになっている。
またこの第１部材５８’ａの上端は、扉キャビネット５０筐体天面内側で扉キャビネットの奥側から扉側に伸長し、かつ、その前端が扉キャビネット筐体前面の開閉扉枠体から前側に突出することとなる第２部材５８’ｂの後端と連結されている。この第２部材５８’ｂは第１部材５８’ａの回動に伴ってその軸方向に前後移動するようになっている。さらにこの第２部材５８’ｂには、第２部材を前側に付勢することとなる第三バネ８５が取り付けられている。
【００４０】
扉キャビネット５０の開閉扉５２が閉じた状態では、扉アーム５８’の第２部材５８’ｂの先端は開閉扉に押圧されることで扉キャビネット５０筐体内に収容される。このとき第三バネ８５は圧縮されて第２部材を前側に付勢している。またこのとき第１部材５８’ａは傾斜しており、サブロッド５６’は上側に引き上げられた状態となっている（図６（ａ）参照）。
一方、扉キャビネット５０の開閉扉５２が開いた状態では、扉アーム５８’の第２部材５８’ｂの先端が開閉扉に押圧されることなく第三バネ８５の付勢力によって扉キャビネット筐体前面の開閉扉枠体から前側に突出する。このように第三バネ８５が第２部材５８’ｂを前側にスライド移動させることで、これに連結接続された第１部材５８’ａが傾斜状態からほぼ垂直状態となるように回動し、これによりサブロッド５６’は下側に押し下げられた状態となる（図６（ｂ）参照）。
【００４１】
サブロッド５６’が下側に押し下げられると、これに連結された第三ロック機構８４のメインロッド３６’も押し下げられ、メインロッドのフック部３４’が引き出しの背面の係止部２８と係合することで、すべての引き出しの開操作が禁止される。
【００４２】
このように本発明では、扉キャビネットの開閉扉が開いた状態では引き出しキャビネットの引き出しが引き出せないようにすることにより、不慮の事故の発生をより確実に防ぐことができる。
【００４３】
なお本発明は上記実施例に記載したものに限られず、発明の趣旨を逸脱しない範囲で適宜変更することができるのは勿論である。例えば上記実施例では扉キャビネットの開閉扉を観音扉式のものとしたがこれに限られず、片開き式、並列開き式などとすることもできる。
また中下段の引き出しにのみ第一ロック機構を設け上段の引き出しには設けないなど、キャビネットの使用の便宜を考慮して使用者が適宜アレンジ可能にしてやることもできる。これは例えば回動ロッドやテーパー面を着脱自在に構成してやることで実現することができる。
さらにキャビネットの各引き出しおよび扉キャビネットの開閉扉は通常ロックされた状態となっており、使用者が取っ手に手をかけることでそのロックが解除されるような機構を設けてやることも好ましい。
また上記と同様の構造の第二ロック機構を備えた第二扉キャビネットをさらに扉キャビネットを載せ置き、その第二扉キャビネットの従ロッドも第一ロック機構の主ロッド（実質的には下側の扉キャビネットの従ロッド）に直接的又は間接的に接続することで、その開閉扉の開閉を制御してやるようにすることも可能である。
さらに上記第三ロック機構（および連動アーム９４）を上記第一ロック機構および第二ロック機構と併存させずに単独で組み合わせ式キャビネットに備えてやることも勿論可能である。
【図面の簡単な説明】
【００４４】
【図１】本発明の組み合わせ式キャビネットの外観を表した斜視図である。
【図２】第一ロック機構およびその動作を説明するための内部透過側面図である。
【図３】図２に対応した内部透過正面図である。
【図４】第二ロック機構およびその動作を説明するための概念図である。
【図５】第一ロック機構と第二ロック機構とを連結接続する様子を示した図である。
【図６】第三ロック機構等を説明するための図である。
【符号の説明】
【００４５】
１０  組み合わせ式キャビネット
２０  引き出しキャビネット
２２ａ，２２ｂ，２２ｃ  引き出し
２４  第一ロック機構
２６  テーパー面
２８  係止部
３２  回動アーム
３３  回転ローラ
３４，３４’  フック部
３６  主ロッド
３６’  メインロッド
３７  第一バネ
３９  掛け止めフック
４１  連結材
４１ａ  横棒
４１ｂ  縦棒
５０  扉キャビネット
５２  開閉扉
５４  第二ロック機構
５６  従ロッド
５６’  サブロッド
５８  扉ロックアーム
５８ａ  第一部材
５８ｂ  第二部材
５８ｃ  第三部材
５８ｄ  第四部材
５８’  扉アーム
５８’ａ  第１部材
５８’ｂ  第２部材
６１  第二バネ
６５  小孔
８２  接続用アダプタ
８４  第三ロック機構
８５  第三バネ
９４  連動アーム
【図１】
2010133164.tif 000003
【図２】
2010133164.tif 000004
【図３】
2010133164.tif 000005
【図４】
2010133164.tif 000006
【図５】
2010133164.tif 000007
【図６】
2010133164.tif 000008